(57)【要約】【課題】  包装材料の細長片を別個の長さに供給し且つ切断するためのユニットを用意する。【解決手段】  細長片（３）はドラム（１３）の上に保持されて前進させられ、第一カッターアセンブリ（１９）で小片（２）に分割され、第二カッターアセンブリ（４５）が各小片（２）上に横方向の引き裂き線２１の刻み目をつけるために配置され、そして第三カッターアセンブリ（４８）が小片（２）の取り除き可能な部分（２４）を作るために横方向の引き裂き線２１と組み合わせる縦方向の引き裂き線２２に刻み目をつけるために配置される；第一、第二及び第三カッターアセンブリ（１９，４５、４８）はすべてドラム（１３）と連携して操作し、第二及び第三カッターアセンブリ（４５、４８）はまた互いに堅く結合されて、ドラム（１３）によって提供されている打撃表面（５０）を備えるステーション（２０）でＬ型の切断エッジを提供して回転装置（３７）に組み込まれる。【選択図】      図２
2006052020.tif 000002
【特許請求の範囲】
【請求項１】
細長片（３）を支持し且つ前進させるためのコンベヤ（１３）と、前記細長片（３）が予め設定された長さの単独の小片（２）に横方向で分割されるところの操作中に循環する第一の切断手段（１９）と、各小片（２）上に少なくとも一つの横方向の引き裂き線（２１）に刻み目をつけるための役割を果たしている操作中に循環する第二の切断手段（４５）と、小片（２）の取り除き可能な部分（２４）の範囲を画定するために横方向の引き裂き線（２１）と組み合わせる縦方向の引き裂き線（２２）に刻み目をつけるための役割を果たしている第三の切断手段（４８）を備えており、前記第一、前記第二及び前記第三の切断手段（１９、４５，４８）が前記細長片（３）を支持し且つ前進させるコンベヤ（１３）と連携して操作するところの包装材料の前記細長片（３）を供給し且つ一定の長さに切断するためのユニットにおいて、
前記第二及び前記第三の切断手段（４５，４８）が概して堅く結合されており且つ共通の回転装置（３７）の部分を構成していることを特徴とするユニット。
【請求項２】
前記第二及び前記第三の切断手段（４５，４８）は、コンベヤ（１３）によって提供されている少なくとも１セットのアンビル手段（４９）と相互に作用するＬ型外形の切断エッジを画定するために、一体になって且つ同じ操作ステーション（２０）で結合することを特徴とする請求項１に記載のユニット。
【請求項３】
コンベヤ（１３）は回転するドラム（１３）から構成され、そして、回転装置（３７）は、シャフト（３８）を備え、その軸（３８a）はドラム（１３）の軸（１７）に平行に伸びており、半径方向のブレード（４３）として具体化されている前記第二の切断手段（４５）及びディスクブレード（４６）として具体化されている前記第三の切断手段（４８）を保持していることを特徴とする請求項２に記載のユニット。
【請求項４】
前記第一の切断手段（１９）の動きに対応して、前記第二及び前記第三の切断手段（４５，４８）によって作られる動きのタイミングを調整する手段（５４）を備えていることを特徴とする請求項１〜３のいずれか一つに記載のユニット。
【請求項５】
調整手段（５４）は、関連する支持シャフト（３８）の軸（３８a）に関し前記第二及び前記第三の切断手段（４５，４８）の角度位置を調整する手段を備えていることを特徴とする請求項３または４に記載のユニット。
【請求項６】
ドラム（１３）は、角度的に等しい間隔で配設され且つ前記第一の切断手段（１９）を提供するための固定されたブレード（２７）と組み合わされる複数のアンビルブレード（３２）を装備されていることを特徴とする請求項３〜５のいずれか一つに記載のユニット。
【請求項７】
ドラム（１３）は、角度的に等しい間隔で配設され且つアンビルブレード（３２）と数の上で全く同数の複数のセクター（５２）を提供しており、各々は、前記第二及び前記第三の切断手段（４５，４８）によって提供されているＬ型外形の切断エッジに対して提供されるアンビル手段（４９）を提供しているインサート（５０）を収容するようにそれぞれのシート（５１）が形成されている外表面を提供していることを特徴とする請求項６に記載のユニット。
【請求項８】
セクター（５２）は、カーボンファイバーで具体化されており、そして、インサート（５０）は金属製及び/または弾力性のある材料で具体化されておりそして両者は入れ換えることが可能であることを特徴とする請求項７に記載のユニット。
【請求項９】
包装材料の細長片（３）をコンベヤ（１３）に供給するステップと、単独の小片（２）を分離するように操作中に巡回する第一の切断手段（１９）の作用により横方向の切断線（３４）上で前記細長片（３）を切断するステップと、各連続する小片（２）上に除去可能な部分（２４）を創り出すために第二及び第三の切断手段（４５，４８）で前記細長片（３）上に横方向の線（２１）及び縦方向の線（２２）の連続の刻み目をつけるステップとを含んでいる細長い材料を別個の長さに切断する方法において、
―縦方向の線（２２）及び横方向の線（２１）に刻み目をつけるステップが単独の操作ステーション（２０）で連続して起こること；及び
―各小片（２）を前記細長片（３）から分離するために横方向の線（３４）上で作られる切断のステップは、少なくとも横方向の線（２１）に刻み目をつけるステップより先行すること
を特徴とする方法。
【発明の詳細な説明】
【技術分野】
【０００１】
本発明は、包装材料の細長片を供給し且つ別個の長さに切断するためのユニットに関する。このようにして得られた材料の長さは商品を包装するための機械に利用される。
【背景技術】
【０００２】
課題になっているタイプのユニットは、典型的に、金属箔ペーパーの連続する細長片を単独の小片に切断するために使用されており、それから、それは紙巻タバコの包装機械の包装ユニットに供給され、そして、実質的に平行六面体の外観の完成した箱の中の内部包装紙を形成するために紙巻タバコのそれぞれのグループを取り囲むように各々直接に折りたたまれる。
【０００３】
金属箔ペーパーの小片は細長片を通る横方向の切断を作ることによって発生させられ、そして外形において、細長片の軸方向に関して揃えられた予め決定している寸法において長方形を出現する。それぞれの単独の小片は“引っ張り部分（pull）”として知られている長方形部分の範囲を定めるために組み合わせる、一つは縦方向の、一つは横方向の、二つの引き裂き線をコーナーエリアに提供し、それは紙巻タバコの箱を切り開く瞬間にユーザーによって取り除かれることができる。
【０００４】
従来的には、材料の単独小片を発生させるために使用されている供給及び切断装置は、相対する方向において相互に平行な軸に関し回転可能な第一ローラー及び第二ローラーを備え、その各々は回転軸に平行に伸びている直径方向に相対する二つのブレードを装備している。
【０００５】
第一ローラーは、吸引するシリンダー状表面、そして更には切断ステップにおいてリアクション或いはアンビルエレメントとして機能するシリンダー状表面を備えており、またロールからときほどかれた金属箔ペーパーの細長片を前進させるために且つ切断活動によって分離された小片を更なる処理ステーションへ運ぶために役立つ。
【０００６】
第一ローラーに一つをそして第二ローラーに一つを取り付けられている最初の対の二つのブレードは、実質的に細長片の横方向の寸法に対する長さに等しく、それによって細長片から分離される小片を切断するのに役立つ。
【０００７】
第二の対のブレードは、上述した横方向の引き裂き線を押し付ける或いは刻み目をつけるために役立つ。
【０００８】
また、供給及び切断装置の部分を構成しているディスクカッターは二つの軸に平行な軸に関して回転可能であり、上述の縦方向の引き裂き線を押し付けるために第一ローラーと組み合わせて操作する。したがって、上記で輪郭を示された従来の供給及び切断装置において、各々の横方向の引き裂き線は、長方形の小片の二つの短い方の切断エッジから与えられる距離の間にそしてその距離に配置されている中間の部分を占めている。
【０００９】
上記で説明したタイプの装置では、上述の引っ張り部分の横方向及び縦方向の引き裂き線が会すると想定されるポイントでの好ましいコントロールが存在せず、そして、引っ張り部分の内側コーナーを画定しているこれらの同じ二つのラインの対応する端部がオーバーラップする或いは他方に対して一方を位置的に離してしまうということが起こるかもしれない、その結果、引っ張り部分が、箱を切り開く瞬間に取り除かれる際に、潜在的に不安定であり、或いは望まれていない切れ目をとかく作り出しやすくなる。
【００１０】
また、例えば、あるタイプの金属箔細長片から他のタイプのものへ変更する際に、或いは、あるサイズの製造物から他のサイズのものへ変更する際に、全体の供給及び切断装置が同様に変更されることが必要になるということが発生する。
【発明の開示】
【００１１】
本発明の目的は、上述したような欠点により影響を受けないような包装材料の細長片を供給し且つ別個の長さに切断するためのユニットを用意することである。
【００１２】
明言される目的は、包装材料の細長片を供給し且つ別個の長さに切断するためのユニットにおいて適切に実現することであり、その特徴は別添の請求項１に説明されているとおりである。
【００１３】
本発明は、例示の方法によって、添付の図面を参考にしつつ、詳細に説明されるでしょう。
【発明を実施するための最良の形態】
【００１４】
図面中の図１を参照して、１は、別個の長さ或いは小片２が包装材料の連続する細長片３（図７）から切断されるところの、その全体としての、供給及び切断ユニットを示している。；描写され且つ説明されている例において、課題になっている細長片は、図８に置けるように紙巻タバコの箱５の内装４を作るために使用される金属箔ペーパーの細長片３である。
【００１５】
小片２は、例えば６で示される一対のコンベヤベルトとして概念的に示されている供給及び案内手段を通して、７で示されるブロックとしてその全容を現している紙巻タバコ包装機械の把持装置を構成している処理ステーションに向けて、案内される。
【００１６】
ユニット１は、紙巻タバコ包装機械７のフレームの部分を構成している垂直壁８によって支えられている。
【００１７】
細長片３は、壁８に垂直に伸びている水平軸９aに関し回転可能なロール９から、相互に実質的に接線方向に回転する一対の締め付けロール１０から構成される供給手段によって解きほどかれ、そして最初にロール９の軸９aに平行な軸１２に関して回転可能な方向変更ローラー１１を超えて案内され、それからドラム１３で構成する支持供給コンベヤ上に案内される。
【００１８】
ドラム１３は、図示されていない負圧供給源に連結される孔１５（図５）を備えるシリンダー状表面１４を提供し、そして方向変更ローラー１１の軸１２に平行に配置されている軸１７に関し図１に見られるように時計回りに回転可能なシャフト１６に取り付けられている。
【００１９】
細長片３はドラム１３上を前進して、供給手段１０それよりも大きい接線速度での回転にセットされ、第一操作ステーション１８でそれらの全体として１９で示される横方向切断手段によってそれは単独の小片２に分割される。
【００２０】
さらにまた、小片２はドラム１３上を前進し、横方向の引き裂き線２１及び縦方向の引き裂き線２２（図７）が第二操作ステーション２０で各々の線に押し付けられ或いは刻み目をつけられる。
【００２１】
問題となっている二つの線２１及び２２は、少し後に、詳細に説明されるところの第二及び第三の切断手段によって各々製作され、小片２の一つのコーナーに配置され且つ紙巻タバコの箱５が最初に開かれる丁度そのときに（図７及び８参照）内装４から分離されることができるように“引っ張り部（pull）”として言及される部分２４を画定するＬ形状の線２３を創造するために組み合わせられる。
【００２２】
第二操作ステーション２０から下流へ進行して、実質的に第一操作ステーション１８の直径方向反対側に配置される２５で示されるリリースステーションを通って、小片２は反時計方向に回転する吸引ローラー２６によってドラム１３のシリンダー状表面１４から取り除かれ、そしてこの同じローラーによって上述の供給案内手段６を通って処理ステーションを越えて前進させられる。
【００２３】
上述の第一切断手段１９は、ドラム１３の軸１７に平行に配置されており且つ壁８とそのターン（turn）で堅く結合されているブロック３０に対して対応する螺子手段２９で堅く結合されている長方形断面のバー２８の底部エッジに固定されているブレード２７を含んでいる。
【００２４】
このように軸１７に対して平行に伸びているブレード２７は、細長片３の横方向寸法に実質的に等しい長さであり且つドラム１３の真直ぐなラインの発生状況に対して実質的に接触するように乗っている切断エッジを提供している。
【００２５】
ブレード２７は、横方向のカットライン３４に沿って細長片３を切断するように、ドラム１３と堅く結合されており且つシャープエッジ３３を与えている三つの角のある等間隔で配置されたアンビルブレード３２のそれぞれの一つと連携して操作することにより細長片３を単独の小片２に分割するように設計されている。
【００２６】
さらに正確には、アンビルブレード３２は、シャフト１６に直接固定されているドラム１３の部分を構成しているシリンダー状ハブ３６から張り出しているそれぞれの半径方向アーム３５の端部に嵌め込まれている。
【００２７】
重要なことに、ブレード２７を保持しているエッジの反対側のバー２８のエッジは、２７’で示されているスペアブレードを備えている。この追加のブレード２７’は、螺子手段２９をはずしてバー２８をブロック３０に関して１８０°回転することによって操作ステーション１８に配置されることができる。
【００２８】
第二及び第三の切断手段は概して堅く結合されており且つ同じ第二ステーションでドラム１３と連携して同様に操作し、両者はシャフト３８に取り付けられている回転装置３７に組み入れられており、ドラムの軸１７に平行に配置されている軸３８aに関し反時計方向の動作でセットされている。
【００２９】
図２，３及び６を参照して、シャフト３８は、同一のシャフト３８上で作動する螺子クランプ手段４０を備える実質的にチューブ状のエレメント３９を保持し、半径方向アーム４１はクランプ手段の直径方向反対側の位置を占め、その自由端は半径方向プレーンに揃えられた横方向のスロット４２を提供し、シャフト３８の軸３８aに平行に配置されており且つ横方向の引き裂き線２１に実質的に等しい長さの切断エッジ４４を備えたブレード４３を収容している。
【００３０】
チューブ状エレメント３９とブレード４３とは、それらの全体において４５で示されている第二の切断手段を共に構成しており、それによって各小片２は、小片２の一方の縦方向エッジから同一の小片２の中央に向かって一定の距離伸びている横方向の引き裂き線２１に刻み目をつけられる。
【００３１】
また、予め決められた角のある深さの切断エッジを備えるディスク４６が、サポートの回転手段のシャフト３８に取り付けられ且つチューブ状エレメント３９と堅く結合されている。
【００３２】
ディスク４６はそれらを全体として４８として示している第三の切断手段を構成しており、それによって各小片２は、対応する横方向のライン２１の最も内部の端部から小片２の一方の端部に伸びている縦方向の引き裂き線２２に刻み目をつけられる。
【００３３】
このように具体化された、第二の切断手段及び第三の切断手段は、ドラム１３に堅く結合されており且つそれぞれのアンビルブレード３２から予め決められた距離にそれぞれ配置されていて、三つの角のある等しい間隔をあけられたインサート５０を構成しているアンビル手段４９（図４及び５を参照）と連携して操作し、それは、前述の三つの半径方向アーム３５の間に置かれ且つハブ３６のシリンダー状表面に向かって突出しているセクター５２によって与えられるそれぞれのシート５１に埋め込まれている。
【００３４】
図５に示されているように、インサート５０はＬ型をしており、且つ、それぞれ、５０aで示されるディスク４６の切断エッジ４７と相互に作用する表面と、５０ｂで示されるブレード４３の切断エッジ４４と相互に作用する表面である二つの打撃表面を設定するための役割を果たす。両方の表面５０a及び５０ｂは、縦と横の方向に適合させられており、そのため、第二及び第三の切断手段４５及び４８はアンビル手段４９を移動させる必要なしに位置を調整されることができる。
【００３５】
図３、５及び５aで示されるように、ディスク４６は、ラジアルスロット５３を提供しており、また、この同じスロット５３がチューブ状エレメント３９の半径方向アーム４１によって提供されている上述したスロット４２と一直線になって配置され且つこのようにして対応するブレード４３の一端によって占められることが可能になるように、支持シャフト３８に角に配置されている。
【００３６】
ディスク４６の切断エッジ４７は、その下流端が、回転方向を考慮に入れて、ディスク４６によって与えられているスロット５３の出口と一致するように配置され、且つ、それゆえにブレード４３によって提供されている切断エッジ４４の一端のすぐ近くに配置される。一方の切断エッジ４４が他方の切断エッジ４７から離れている距離は、完成した小片２上に関し、小片２の主体部のための引っ張り部分２４をつないでいる対応する長さＴに一致している予め決められた長さの長さＴに設定されている。
【００３７】
特に、図３及び６に関して、５４は、それによって支持シャフト上における第二及び第三の切断手段４５及び４８の角度位置を調整するための、したがって、また、第一の切断手段１９のそれに対応したそれらのストロークのタイミングを調整するための手段を、全体として、示している。
【００３８】
さらに正確には、調整手段５４は、支持シャフト３８の軸３８aに平行な軸５５a上に中心が置かれているシャフト５５を備えており、その一端部５６はシャフト３８と同軸の固定された環状エレメントによって与えられている凹部５７の中に挿入されることが可能であり、それと同時に、その他端部は、同じシャフト５５に偏心して取り付けられており且つチューブ状エレメント３９によって提供されているシリンダー状孔５９に固定されているシリンダー状ヘッド５８を保持している。
【００３９】
操作中に、単独の小片２の横方向の引き裂き線２１の位置を調整するためのニーズ、或いは、引っ張り部分２４のサイズを変更するためのニーズが生じると、クランプ手段４０が支持シャフト３８のチューブ状エレメント３９を自由にするために緩められ、その結果、６０で示される中間部分に適用される適当なツールを使用して、シャフト５５はその軸５５a上を回転させられる。
【００４０】
シャフト５５を一方向或いは他方向に回転すると、ヘッド５８はチューブ状エレメント３９を支持シャフト３８の軸３８aに関してシフトさせ、そして、このようにしてブレード４３及びディスク４６の対応する角度調整を誘導する。
【００４１】
図２及び６から認められるように、ブレード４３はまた対応するクランプ手段６１（図６）をリリースし且つ６２で示されるコーンポイントセット螺子をリセットすることによって半径方向位置を調整することが可能である。
【００４２】
加えて、ブレード４３の切断エッジ４４に提供されている打撃表面５０ｂが、取り替えられるべき部品の必要なしにかなりの程度の角度調整を許容するために適合させられるということを見ることができる。
【００４３】
最後に、ドラム１３の上述したセクター５２は、カーボンファイバーで具体化され、そして、それぞれのインサート５０は金属製及び/または弾力性のある材料で、そして相互に取替え可能に。
【００４４】
細長片材料３は、ドラム１３のシリンダー状表面１４上をスライドすることを発生させられる、それによってピンチロール１０によってときほどかれる細長片３の線形速度よりも大きいドラムの接線速度が与えられ、そして、方向変換ローラー１１によって駆動されるパワーによって前進させられ、前述したように、第二及び第三の切断手段４５及び４８の接線速度に実質的に等しくなる。
【００４５】
したがって、第二の切断手段４５によって作られる横方向の動きは材料のいかなるスライド行動も伴わずに実施しなければならない、すなわち、小片２が第一の切断手段１９によって細長片３から分離させられた後に、もしそうでなければ、小片２は横方向の引き裂き線２１の上或いはその周りで第二の切断手段４５によって裂かれてしまう。
【図面の簡単な説明】
【００４６】
【図１】本発明に従って具体化された包装材料の細長片を供給し且つ切断するためのユニットを備えている概念的な立面図として且つ部分的にダイアグラムとして見られる紙巻タバコ包装機械の一部を示している。
【図２】立面図として且つ断面図における部分を図示する、本発明に従った具体化された包装材料の細長片を供給し且つ切断するためのユニットを示している。
【図３】図２の詳細を説明する縦方向断面図である。
【図４】立面図及び分解組立図として概念的に図示される図２の詳細を説明している。
【図５】概念的に透示図として図示され、図２の詳細を説明している。
【図５ａ】図５の拡大した詳細である。
【図６】複数の操作位置において説明される、立面図における、図２の詳細を示している。
【図７】平面図で図示される、共通の細片が切断される細長材料の長さを説明している。
【図８】図７におけるように包装材料の細片から作られる内部包装として供給される、概念的に且つ透視図として示される、紙巻タバコの容器を説明している。
【図１】
2006052020.tif 000003
【図２】
2006052020.tif 000004
【図３】
2006052020.tif 000005
【図４】
2006052020.tif 000006
【図５】
2006052020.tif 000007
【図５ａ】
2006052020.tif 000008
【図６】
2006052020.tif 000009
【図７】
2006052020.tif 000010
【図８】
2006052020.tif 000011